(57)【特許請求の範囲】
【請求項１】
固体撮像素子により画像を撮影して記録媒体に記録する電子カメラにおいて、
覗き込み型の電子ビューファインダと、
前記電子ビューファインダよりも大きな表示画面を有する表示手段と、
前記覗き込み型の電子ビューファインダおよび前記表示手段のいずれか一方に前記固体撮像素子により出力された画像をスルー画像として表示し、他方にスルー画像の一部分を拡大した画像をスルー画像と重ね合わせた部分拡大画像を表示するよう制御するコントローラ  を備えた、
ことを特徴とする電子ビューファインダ付き電子カメラ。
【請求項２】
前記部分拡大画像は、撮影条件の設定用画像として表示されることを特徴とする請求項１記載の電子ビューファインダ付き電子カメラ。
【請求項３】
前記部分拡大画像中の前記スルー画像の一部分を拡大した画像は、フォーカス対象部分の画像であることを特徴とする請求項２記載の電子ビューファインダ付き電子カメラ。
【請求項４】
前記コントローラは、前記スルー画像が表示される表示先と前記部分拡大画像が表示される表示先とを切替え制御することを特徴とする請求項１記載の電子ビューファインダ付き電子カメラ。
【請求項５】
固体撮像素子により画像を撮影して記録媒体に記録する電子カメラにおいて、
覗き込み型の電子ビューファインダと、
前記電子ビューファインダよりも大きな表示画面を有する表示手段と、
前記覗き込み型の電子ビューファインダおよび前記表示手段のいずれか一方に前記固体撮像素子により出力された画像をスルー画像として表示し、他方に前記固体撮像素子により出力された画像の拡大画像を表示するよう制御する制御部  を備えた、
ことを特徴とする電子ビューファインダ付き電子カメラ。
【請求項６】
前記制御部は、前記スルー画像を表示される表示先と前記拡大画像が表示される表示先とを切替え制御することを特徴とする請求項５記載の電子ビューファインダ付き電子カメラ。
【請求項７】
前記拡大画像は撮影条件の設定用画像として表示されることを特徴とする請求項５記載の電子ビューファインダ付き電子カメラ。
【請求項８】
前記制御部は、前記拡大画像のズーム倍率を制御することを特徴とする請求項５記載の電子ビューファインダ付き電子カメラ。
【発明の詳細な説明】
【０００１】
【発明の属する技術分野】
本発明は、電子ビューファインダ付き電子カメラに関する。
【０００２】
【従来の技術】
被写体像を撮影光学系によりＣＣＤ二次元イメージセンサのような固体撮像素子上に結像して電気信号に変換し、これにより得られた主として静止画の画像信号をディジタル化して半導体メモリなどの記憶媒体に記録する、いわゆる電子カメラが広く普及している。
【０００３】
このような電子カメラにおいては、一般に撮影した記録画像を再生表示するための電子カメラ背面部に設けられた背面液晶パネルと覗き込み型の光学ビューファインダ（以下、ＯＶＦという）を備えたものが多い。覗き込み型のＯＶＦは、撮影者が電子カメラをしっかりと構え、手ぶれ等を防止しつつ撮影条件を決定するために用いられる。しかし、ＯＶＦを設ける場合には、撮影光学系とは別途に専用の光学系を設ける必要があるため、その分スペースを必要とし、電子カメラの小型化には不利である。また、いわゆる一眼レフタイプの電子カメラでない場合には、パララックスが生じることがある。
【０００４】
また、電子カメラにおいては固体撮像素子により得られた画像信号をそのままスルー画像データとして背面液晶パネルに一定周期（例えばビデオレート）で出力して表示することが可能であるため、この背面液晶パネルを電子ビューファインダ（以下、ＥＶＦという）として利用する構成も可能である。しかし、背面液晶パネルを利用したＥＶＦはそれなりに便利ではあるが、しっかりと構図を決めるのが難しく、手ぶれを生じる可能性もあるため、撮影条件を決定するには必ずしも適切でない場合がある。
【０００５】
このような問題を考慮して、最近の電子カメラでは覗き込み型ビューファインダとして、ＯＶＦに代えて小型液晶パネルによるＥＶＦを設ける場合がある。この場合、背面液晶パネルにもＥＶＦの機能を持たせると、電子カメラは２つのＥＶＦを有することになり、また覗き込み型ＥＶＦの液晶パネルによっても記録された画像の再生表示を行うことが可能である。
【０００６】
【発明の解決しようとする課題】
背面液晶パネルに加えて、小型液晶パネルによる覗き込み型のＥＶＦを設けた電子カメラでは背面液晶パネル及びＥＶＦ用液晶パネルに対して、撮影モードにおいても再生モードにおいても常に同一の表示がなされるのみであり、二つの液晶パネルが有効に活用されているとはいえない。
【０００７】
本発明は、このような事情を考慮してなされたもので、小型液晶パネル等による覗き込み型の電子ビューファインダを設ける場合に、再生画像表示用の背面ディスプレイを有効に活用し、撮影者の利便性を高めることができる電子ビューファインダ付き電子カメラを提供することを目的とする。
【０００８】
【課題を解決するための手段】
（１）上記の課題を解決するため、本発明に係る電子ビューファインダ付き電子カメラは、覗き込み型の電子ビューファインダと、前記電子ビューファインダよりも大きな表示画面を有する表示手段と、前記覗き込み型の電子ビューファインダおよび前記表示手段のいずれか一方に前記固体撮像素子により出力された画像をスルー画像として表示し、他方にスルー画像の一部分を拡大した画像をスルー画像と重ね合わせた部分拡大画像を表示するよう制御するコントローラ  を備えたことを特徴とする。ここで、表示手段は例えば電子カメラの背面に設けられる背面液晶ディスプレイのような背面ディスプレイである。
【０００９】
（２）上記（１）において、部分拡大画像は、撮影条件の設定用画像として表示されることを特徴とする。本発明では、撮影モードにおいて背面ディスプレイに覗き込み型電子ビューファインダあるいは前記電子ビューファインダよりも大きな表示画面を有する表示手段のいずれかに撮影条件の設定用画像を表示することにより、撮影者の利便性を高め、使い勝手を向上させることができる。
【００１０】
（３）上記（２）において、前記部分拡大画像中の前記スルー画像の一部分を拡大した画像は、フォーカス対象部分の画像であることを特徴とする。例えばこのようにすることにより、部分拡大画像をピント合せ画像として用い、合焦したいポイントを表示画面の大きなピント合せ画像で確認しつつ合焦動作を行い、電子ビューファインダを覗き込んで構図を決めるようにすることができる。
【００１１】
（４）上記（１）において、前記コントローラは、前記スルー画像を表示される表示先と前記部分拡大画像が表示される表示先とを切替え制御することを特徴とする。このようにすることにより、希望の表示先で部分拡大画像を視認するようにすることができる。
【００１２】
（５）また、本発明に係る他の電子ビューファインダー付きのカメラは、固体撮像素子により画像を撮影して記録媒体に記録する電子カメラにおいて、覗き込み型の電子ビューファインダと、前記電子ビューファインダよりも大きな表示画面を有する表示手段と、前記覗き込み型の電子ビューファインダおよび前記表示手段のいずれか一方に前記固体撮像素子により出力された画像をスルー画像として表示し、他方に前記固体撮像素子により出力された画像の拡大画像を表示するよう制御する制御部  を備えたことを特徴とする。撮影に当たって電子ビューファインダまたは表示手段で、ズーミング前の状況を直ちに確認できるので、ズーミングの程度、つまりズーム倍率を変更させる場合の有効な判断材料となる。
【００１３】
（６）上記（５）において、前記制御部は、前記スルー画像を表示される表示先と前記拡大画像が表示される表示先とを切替え制御することを特徴とする。このようにすることにより、希望の表示先で拡大画像を視認するようにすることができる。
【００１５】
【発明の実施の形態】
以下、図面を参照して本発明の実施の形態を説明する。
図１は、本発明の一実施形態に係る電子ビューファインダ付き電子カメラを背面側から見た外観図を示している。電子カメラ本体の背面部に、覗き込み型ＥＶＦ（電子ビューファインダ）１、再生用液晶パネル２、撮影／再生モード切替スイッチ３及び各種の操作キー（十字キー）４等が設けられ、上面部にレリーズボタン（シャッタボタン）５が設けられている。ここで、覗き込み型ＥＶＦ１は内部に小型液晶パネルを備えられており、以後はＥＶＦ用液晶パネルという。再生用液晶パネル１は、本発明では撮影モードにおいては再生された記録画像（再生画像）以外の表示を行うので、以後は背面液晶パネルという。
【００１６】
本発明においては、ＥＶＦ用液晶パネル１及び背面液晶パネル２の使用法、特に背面液晶パネル２の使用法に特徴を有する。以下、この使用法に着目した具体的な幾つかの実施形態について説明する。
【００１７】
（第１の実施形態）
図２は、本発明の第１の実施形態に係る電子ビューファインダ付き電子カメラのシステム構成を示すブロック図である。被写体からの光は撮影レンズ系１１、絞り１５及びシャッタ１６を経てＣＣＤ二次元イメージセンサを用いた固体撮像素子（以下、単にＣＣＤという）１７に入射し、これによりＣＣＤ１７の撮像面上に被写体の画像が結像される。撮影レンズ系１１は、ＡＦ（オートフォーカス）機構１２及びＭＦ（マュアルフォーカス）機構１３によって光軸方向に移動制御され、ＭＦ機構１３はマニュアルフォーカス操作リング１４によって操作される。
【００１８】
ＣＣＤ１７は、画素と呼ばれる光電変換素子（例えばフォトダイオード）を二次元のマトリクス状に配列して撮像面を構成し、さらに撮像面上にカラーフィルタを配置したものであり、図示しないＣＣＤドライバによって駆動されることより、撮像面に結像された被写体画像に対応した信号電荷を蓄積する。撮像面に蓄積された信号電荷は、シャッタ１６が閉じられた状態でＣＣＤ１７から電気信号として読み出される。
【００１９】
ＣＣＤ１７からの出力信号はＡＥ（自動露光制御）、読み出し、素子シャッタ制御及びｓＣＣＤ電力供給オン・オフ制御等の処理を行う撮像回路１８に入力され、この撮像回路１８から画像信号として出力される。この画像信号は、Ａ／Ｄ変換器１９及び写真用の静止画像データへの変換（ガンマ変換、色変換）等を行う画像処理部２０を経てバッファメモリ２１に入力され、このバッファメモリ２１に一画面分の画像データが一旦格納される。
【００２０】
バッファメモリ２１に格納された画像データを保存するときには、バッファメモリ２１から読み出された画像データが圧縮／伸長部２２によって例えばＪＰＥＧ方式で圧縮された後、光磁気ディスクドライブ装置２３に入力され、記録媒体である光磁気ディスク２４に記録画像データとして書き込まれる。また、この記録画像データを再生する時には、光磁気ディスクドライブ装置２３により光磁気ディスク２４から読み出された画像データが圧縮／伸長部２２によって伸長された後、バッファメモリ２１に一旦格納され、背面液晶パネル２によって表示される。
【００２１】
ピント合せ画像作成部２５は、ＥＶＦ用液晶パネル１で表示されるべきピント合せ画像（部分拡大画像）を作成するものであり、このピント合せ画像作成部２５からの出力はＶＲＡＭ（ビデオＲＡＭ）２６及び液晶制御部２７を経てＥＶＦ用液晶パネル１に供給される。
【００２２】
同様にピント合せ画像作成部２８は、背面液晶パネル２で表示されるべきピント合せ画像（部分拡大画像）を作成するものであり、このピント合せ画像作成部２８からの出力はＶＲＡＭ２９及び液晶制御部３０を経て背面液晶パネル２に供給される。
【００２３】
システムコントローラ４０は、各種の操作信号、すなわち操作キー３、撮影／再生モード切替スイッチ４及びレリーズボタン５等からの操作信号を受け付け、電子カメラ内の各部、すなわちＡＦ機構１２、絞り１５、シャッタ１６、撮像回路１８、画像処理部２０、ピント合せ画像作成部２５、液晶制御部２７、ピント合せ画像作成部２８及び液晶制御部３０その他の制御を行う。
【００２４】
このシステムコントローラ４０には、本発明に関係する要素としてＡＦ制御部４１、ピント合せ画像出力先切替部４２及び撮影／再生モード切替部４３が備えられる。
【００２５】
ＡＦ制御部４１は、Ａ／Ｄ変換器１９からの出力に基づき例えば公知のコントラストＡＦ処理を行ってＡＦ機構１２を制御する。また、ＡＦ制御部４１は操作キー３からの入力に従ってＡＦ処理をオン・オフする。さらに、ＡＦ制御部４１はレリーズボタン５を１ｓｔレリーズすると、フォーカスロックがなされる。なお、フォーカス（ＡＦ／ＭＦ双方含む）の対象部分は、撮影領域における中心近辺の一部の領域である。ＡＦオフ時には、マニュアルフォーカス操作リング１４によりＭＦ機構１３が操作され、合焦される。
【００２６】
ピント合せ画像出力先切替部４２は、操作キー３からの入力に基づき、ＥＶＦ用液晶パネル１及び背面液晶パネル２のいずれかによってピント合せ画像である部分拡大画像を表示させるか否かを各ピント合せ画像作成部２５，２８に指令する。なお、ピント合せ画像である部分拡大画像とは、上記した撮影領域におけるスルー画像のフォーカス対象部分の画像を拡大した画像である。
【００２７】
撮影／再生モード切替部４３は、撮影／再生モード切替スイッチ４からの入力に基づき撮影モードと再生モードを切り替えるもので、背面液晶パネル２側のピント合せ画像作成部２８を撮影モードではスルー画像（または、その部分拡大画像）、再生モードでは再生画像がそれぞれ背面液晶パネル２で表示されるように制御する。
【００２８】
次に、図３に示すフローチャートを用いてＥＶＦ用液晶パネル１及び背面液晶パネル２での表示に関する撮影モード時及び再生モード時の動作を説明する。
［撮影モード時の動作］
まず、撮影モードか否かが判定され（ステップＳ１）、撮影モードの場合は以下の処理が行われる。
【００２９】
撮影モードにおいて、画像処理部２０から出力される画像データはスルー画像データであり、この画像データはピント合せ画像作成部２５、ＶＲＡＭ２６及び液晶制御部２７を経てＥＶＦ用液晶パネル１に入力される。同様に、画像処理部２０から出力されるスルー画像データは、ピント合せ画像作成部２８、ＶＲＡＭ２９及び液晶制御部３０を経て背面液晶パネル２に入力される。
【００３０】
この撮影モードにおいては、基本的にＥＶＦ用液晶パネル１及び背面液晶パネル２は共にスルー画像を表示するＥＶＦとして機能するが、本実施形態ではＥＶＦ用液晶パネル１及び背面液晶パネル２のいずれかは、ピント合せ画像出力先切替部４２による制御により、スルー画像に代えてピント合せ画像である部分拡大画像を適宜表示できるようになっている。
【００３１】
図４はその表示例を示す図であり、（ａ）はスルー画像である原画像、（ｂ）は（ａ）の原画像のフォーカス領域（フォーカス対象部分）の部分のみを２倍に拡大した部分拡大画像を示している。
【００３２】
すなわち、撮影モードにおいては、まずピント合せ画像出力先切替部４２によってピント合せ画像の表示範囲が設定されているか否かが判定され（ステップＳ２）、この表示範囲が設定されていなければＥＶＦ用液晶パネル１及び背面液晶パネル２で共に図４（ａ）のようにスルー画像が表示され（ステップＳ３）、引き続きピント合せ画像の表示設定がなされているか否かが判定される（ステップＳ４）。
【００３３】
ステップＳ２でピント合せ画像の表示範囲が設定されているか、あるいはステップＳ４でピント合せ画像の表示設定がなされている場合には、その表示設定がＥＶＦ用液晶パネル１に対してなされているか、背面液晶パネル２に対してなされているかが判定される（ステップＳ５）。
【００３４】
ここで、前者の場合には、ＥＶＦ用液晶パネル１においてピント合せ画像作成部２５で作成されたピント合わせ用画像データに基づき、図４（ｂ）のようにピント合わせ用画像である部分拡大画像が表示されると共に、背面液晶パネル２においてはピント合せ画像作成部２７をそのまま通過したスルー画像データに基づきスルー画像が表示される（ステップＳ６）。
【００３５】
後者の場合には、背面液晶パネル２においてピント合せ画像作成部２８で作成されたピント合わせ用画像データに基づき図４（ｂ）のようにピント合わせ用画像である部分拡大画像が表示されると共に、ＥＶＦ用液晶パネル１においてはピント合せ画像作成部２３をそのまま通過したスルー画像データに基づき図４（ａ）のようにスルー画像が表示される（ステップＳ７）。
【００３６】
次に、ステップＳ４でピント合せ画像の表示設定がないとき、あるいはステップＳ６，Ｓ７でピント合せ画像が表示されている状態で、ステップＳ８及びステップＳ９を経てステップＳ１０でレリーズボタン５が押し込まれると、つまり２ｎｄレリーズが行われると（ステップＳ１０でＹＥＳ）、撮影処理が行われる（ステップＳ１１）。
【００３７】
この撮影処理においては、バッファメモリ２１から出力されるスルー画像データが圧縮／伸長処理部２２で圧縮された後、光磁気ディスクドライブ装置２３に供給され、光磁気ディスク２４に記録される。なお、ステップＳ８ではマニュアルフォーカス操作リング１４の操作が一定時間内になされたかどうかの判定が行われ、さらにステップＳ９ではフォーカスロック（１ｓｔレリーズ）がなされたかどうかの判定が行われる。
【００３８】
ステップＳ６，Ｓ７で表示されるピント合せ画像は部分拡大画像であるので、撮影者はフォーカス状態をより適切に把握できる。従って、フォーカス状態によってはＡＦを解除し、ステップＳ８においてマニュアルフォーカス操作リング１４を用いることにより、一層良好な合焦を行うことができる。
【００３９】
また、ＥＶＦ用液晶パネル１または背面液晶パネル２で表示されるピント合せを用いて一旦最良の状態に合焦し、その後ステップＳ９によりフォーカスロックして構図を決めるようにすることができる。すなわち、背面液晶パネル２でピント合せ画像を表示させる場合には、背面液晶パネル２の表示を見ながら最良の合焦を行った後、ＥＶＦ用液晶パネル１を覗き込み、しっかりと構えた状態で構図決めすることができ、手ぶれ等を少なくすることが可能となる。
【００４０】
一方、ＥＶＦ用液晶パネル１でピント合せ画像を表示させる場合には、ＥＶＦ用液晶パネル１の表示を見ながら合焦を行った後に、背面液晶パネル１をＥＶＦとして構図決めを行うようにする。背面液晶パネル２の表示で構図決めを行う場合には、撮影対象が肉眼でも見えているので、全体の風景等の中でどのような構図となっているかを判断しやすい。
【００４１】
［再生モード時の動作］
ステップＳ１で撮影モードでないとき、つまり再生モード時には、以下の再生モードの処理が行われる。この再生モードでは、ピント合せ画像の表示は行わない。
【００４２】
ＥＶＦ用液晶パネル１でのスルー画像表示は、撮影モード時と同様である。一方、背面液晶パネル２においては、特に再生画像の表示指示がない間はスルー画像が表示されているが、再生画像の表示指示がなされると光磁気ディスク２４に記録された記録画像再生され、背面液晶パネル２で表示される。すなわち、再生モードではバッファメモリ
２１には光磁気ディスク２４から光磁気ディスクドライブ装置２３によって再生され、かつ圧縮／伸長部２２によって伸長された再生画像データが格納されているため、背面液晶パネル２では再生画像、つまり光磁気ディスク２２上の記録画像が表示されることになる。
【００４３】
このように本実施形態では、撮影モードにおいて背面液晶パネル２でピント合せ画像である部分拡大画像を表示することにより、合焦したいポイントを表示画面の大きなピント合せ画像で確認しつつ合焦動作を行い、ＥＶＦ用液晶パネル１を覗き込んで構図を決めるようにすることができ、使い勝手が向上する。
【００４４】
（第２の実施形態）
図５は、本発明の第２の実施形態に係る電子ビューファインダ付き電子カメラのシステム構成を示している。本実施形態は、第１の実施形態におけるピント合せ画像表示が電子ズーム画像表示に置き換わったものである。
【００４５】
図５において、図２と相対応する部分に同一符号を付して第１の実施形態との相違点を述べると、まず図２におけるピント合わせ用画像作成部２５，２８が図５ではズーム画像作成部３１，３２に置き換えられている。システムコントローラ４０には、撮影／再生モード切替部４３とズーム制御部４４とが備えられている。撮影／再生モード切替部４３は、第１の実施形態と同様の構成であるが、指令先がズーム画像作成部３１，３２となる点が第１の実施形態と異なる。
【００４６】
ズーム制御部４４は、電子ズーム表示を行うか否かの指令、また電子ズーム表示を行う場合にはＥＶＦ用液晶パネル１及び背面液晶パネル２のいずれで行うかの指令、さらにズーム倍率の値をズーム画像作成部３１，３２に与える。
【００４７】
次に、図６に示すフローチャートを用いてＥＶＦ用液晶パネル１及び背面液晶パネル２での表示に関する撮影モード時及び再生モード時の動作を説明する。
［撮影モード時の動作］
まず、撮影モードか否かが判定され（ステップＳ２１）、撮影モードの場合は以下の処理が行われる。
【００４８】
撮影モードにおいて、画像処理部２０から出力される画像データはスルー画像データであり、この画像データはズーム画像作成部３１、ＶＲＡＭ２６及び液晶制御部２７を経てＥＶＦ用液晶パネル１に入力される。同様に、画像処理部２０から出力されるスルー画像データは、ズーム画像作成部３２、ＶＲＡＭ２９及び液晶制御部３０を経て背面液晶パネル２に入力される。
【００４９】
この撮影モードにおいては、基本的にＥＶＦ用液晶パネル１及び背面液晶パネル２は共にスルー画像を表示するＥＶＦとして機能するが、ＥＶＦ用液晶パネル１及び背面液晶パネル２のいずれかは、システムコントローラ４０内のズーム制御部４４による制御により、スルー画像に代えて電子ズーム画像を適宜表示できるようになっている。
図７はその表示例を示す図であり、（ａ）はスルー画像である原画像、（ｂ）は（ａ）の原画像を２倍に拡大した電子ズーム画像を示している。
【００５０】
すなわち、撮影モード時には、まずズーム制御部４４により電子ズーム画像の表示範囲が設定されているか否かが判定され（ステップＳ２２）、この表示範囲が設定されていなければ上述した通り、図７（ａ）のようにＥＶＦ用液晶パネル１及び背面液晶パネル２で共にスルー画像が表示され（ステップＳ２３）、引き続き電子ズーム画像の表示及びその倍率設定がなされているか否かが判定される（ステップＳ２４）。電子ズーム画像の倍率（ズーム倍率）の設定は、操作キー３によって行われる。
【００５１】
ステップＳ２２で電子ズーム画像の表示範囲が設定されているか、あるいはステップＳ２４で電子ズーム画像の表示設定がなされている場合には、その表示設定がＥＶＦ用液晶パネル１に対してなされているか、背面液晶パネル２に対してなされているかが判定される（ステップＳ２５）。
【００５２】
ここで、前者の場合には、ＥＶＦ用液晶パネル１で図７（ｂ）のように電子ズーム画像が表示されると共に、背面液晶パネル２で図７（ａ）のようにスルー画像が表示される（ステップＳ２６）。後者の場合には、背面液晶パネル２では図（ｂ）のように電子ズーム画像が表示されると共に、ＥＶＦ用液晶パネル１で図７（ａ）のようにスルー画像が表示される（ステップＳ２７）。
【００５３】
次に、ステップＳ２４で電子ズーム画像の表示設定がないとき、あるいは、ステップＳ２６，Ｓ２７で電子ズーム画像が表示されている状態で、レリーズボタン５が押し込まれると、つまり２ｎｄレリーズが行われると（ステップＳ２８でＹＥＳ）、電子ズーム画像について撮影処理が行われる（ステップＳ２９）。
【００５４】
すなわち、画像処理部２０は２ｎｄレリーズがなされない時には、電子ズーム画像の原画像である通常のスルー画像データを出力しているが、２ｎｄレリーズがなされた撮影処理時には、システムコントローラ４０により制御され、操作キー３により設定されているズーム倍率でスルー画像をズーミングした電子ズーム画像データを出力する。この電子ズーム画像データがバッファメモリ２１を経由して圧縮／伸長処理部２２で圧縮された後、光磁気ディスクドライブ装置２３に供給され、光磁気ディスク２４に記録されることになる。
【００５５】
このように本実施形態では、電子ズーム前の原画像であるスルー画像と電子ズーム画像をＥＶＦ用液晶パネル１及び背面液晶パネル２を用いて同時表示することにより、撮影者はスルー画像と電子ズーム画像を適宜見比べながら適切なズーム倍率を決定することができる。
【００５６】
また、例えば背面液晶パネル２で電子ズーム画像を表示させる場合には、この液晶パネル２の表示を見ながら撮影対象の電子ズーム画像を決定した後に、ＥＶＦ用液晶パネル１を覗き込み、しっかりと構えた状態で撮影することができ、手ぶれ等を少なくできる。
一方、これとは逆にＥＶＦ用液晶パネル１で電子ズーム画像を表示させる場合でも、背面液晶パネル２で原画像であるスルー画像が表示されるので、撮影者は電子ズーム画像とスルー画像を適宜見比べることができる。
撮影者は、上述した二つの表示パターン、すなわちＥＶＦ用液晶パネル１でスルー画像、背面液晶パネル２で電子ズーム画像をそれぞれ表示する第１の表示パターンと、ＥＶＦ用液晶パネル１で電子ズーム画像、背面液晶パネル２でスルー画像をそれぞれ表示する第２の表示パターンとから、自身にとって使い勝手のよい何れかの表示パターンを適宜選択することができる。
【００５７】
［再生モード時の動作］
本実施形態における再生モード時の動作については、第１の実施形態と全く同様であるので、説明を省略する。
【００５８】
本発明は上記した各実施形態に限定されるものではなく、種々変形して実施することが可能である。例えば、記録媒体としては光磁気ディスクに代えて、磁気ディスク（フロッピーディスク、ハードディスク）、相変化ディスク、半導体メモリ（フラッシュメモリ）等を用いることもできる。また、ＥＶＦ用液晶パネル及び背面液晶パネルに代えて、プラズマディスプレイ、小型ブラウン管その他の各種の平面型ディスプレイ装置を用いてもよい。
【００５９】
【発明の効果】
以上説明したように、本発明によれば二つの液晶パネルを有効に活用することができる。例えば、背面ディスプレイを電子ビューファインダに表示されるスルー画像における撮影条件の設定用画像、例えば合焦確認に用いられるスルー画像の部分拡大画像やズーム画像の表示に用いたり、あるいは逆に背面ディスプレイでスルー画像を表示し、電子ビューファインダでスルー画像における撮影条件の設定用画像を表示することによって、背面ディスプレイの有効活用を図り、撮影者の利便性を向上させることができる。
【図面の簡単な説明】
【図１】本発明に係る電子ビューファインダ付き電子カメラの背面側から見た外観の例を示す図
【図２】本発明の第１の実施形態に係る電子ビューファインダ付き電子カメラのシステム構成を示すブロック図
【図３】同実施形態における処理手順を示すフローチャート
【図４】同実施形態における原画像（スルー画像）及びピント合せ用画像（部分拡大画像）の表示例を示す図
【図５】本発明の第２の実施形態に係る電子ビューファインダ付き電子カメラのシステム構成を示すブロック図
【図６】同実施形態における処理手順を示すフローチャート
【図７】同実施形態における原画像（スルー画像）及び電子ズーム画像の表示例を示す図
【符号の説明】
１…覗き込み型電子ビューファインダ（ＥＶＦ用液晶パネル）
２…再生用液晶パネル（背面液晶パネル）
３…操作キー
４…撮影／再生モード切替スイッチ
５…レリーズボタン
１１…撮影レンズ系
１２…ＡＦ機構
１３…ＭＦ機構
１４…マニュアルフォーカス操作リング
１５…絞り
１６…シャッタ
１７…ＣＣＤ（固体撮像素子）
１８…撮像回路
１９…Ａ／Ｄ変換器
２０…画像処理部
２１…バッファメモリ
２２…圧縮／伸長部
２３…光磁気ディスクドライブ装置
２４…光磁気ディスク（記録媒体）
２５，２８…ピント合せ画像作成部
２６，２９…ＶＲＡＭ
２７，３０…液晶制御部
３１，３２…ズーム画像作成部
４０…システムコントローラ
４１…ＡＦ制御部
４２…ピント合せ画像出力先切替部
４３…撮影／再生モード切替部
４４…ズーム制御部
【図１】
0004236358.tif 000002
【図２】
0004236358.tif 000003
【図３】
0004236358.tif 000004
【図４】
0004236358.tif 000005
【図５】
0004236358.tif 000006
【図６】
0004236358.tif 000007
【図７】
0004236358.tif 000008